(57)【特許請求の範囲】
【請求項１】
帯電可能な遊技媒体を用いて遊技を行う遊技機であって、
前記遊技機の制御を行う制御ボックス装置と、
遊技機の後方側であって前記制御ボックス装置よりも高い位置に配置され、島設備から供給される遊技媒体を一時的に貯留する遊技媒体貯留部と、
前記制御ボックス装置よりも低い位置に配置され、前記遊技媒体を受ける受皿と、
前記遊技機の後方側に配置され、前記遊技媒体貯留部から前記受皿に至る遊技媒体が通る経路を形成する遊技媒体通路と、
前記遊技機の前面側に設けられる表枠であって、前記表枠の裏面の略全域にわたる面積を有する補強金属板を有する表枠と、
遊技媒体発射用の発射ハンドル装置と、
前記遊技媒体貯留部と前記遊技媒体通路と前記補強金属板と前記発射ハンドル装置とを接地するためのアース部と、
前記遊技媒体貯留部を電気的に前記アース部に接続する第１接続手段と、
前記遊技媒体通路と前記補強金属板とを電気的に前記アース部に接続する第２接続手段と、
前記発射ハンドル装置を電気的に前記アース部に接続する第３接続手段と、
を備え、
前記遊技媒体貯留部と前記遊技媒体通路とは、導電性樹脂で一体形成によって形成され、
前記遊技媒体通路は、
前記遊技媒体貯留部からの前記遊技媒体を、前記制御ボックス装置の上方において横方向に導く遊技媒体誘導樋と、
前記遊技媒体誘導樋からの前記遊技媒体を、前記制御ボックス装置の側方において下に向かって導く上部払出樋と、
前記上部払出樋からの前記遊技媒体を払い出す払出装置と、
前記払出装置から払い出された前記遊技媒体を、前記制御ボックス装置の側方において下に向かって導く下部払出樋と、
前記下部払出樋から流下する前記遊技媒体を、前記制御ボックス装置の下方において横方向に移動させて、前記受皿に導く排出樋と、
を含み、
前記遊技機は、さらに、
導電性樹脂で一体形成によって形成された前記遊技媒体貯留部と前記遊技媒体通路との少なくとも一方に外部から電流が流れることを抑制するために、前記遊技媒体貯留部と前記遊技媒体通路との少なくとも一方における所定箇所の外壁面に配設された非導電性部材と、
前記第１と第２と第３の接続手段のいずれかから、前記アース部を介して、他の接続手段へ静電気が逆流することを防止するために、前記第１と第２と第３の接続手段に、それぞれに設けられた、第１と第２と第３の逆流防止素子と、
前記第１接続手段と前記遊技媒体貯留部との電気的接点を形成する集電板であって、前記島設備から直接に前記遊技媒体を受ける前記遊技媒体貯留部において、前記島設備から供給された前記遊技媒体に帯電した静電気を除去するために、前記遊技媒体貯留部の外壁ではなく内壁に設けられた第１集電板と、
前記第２接続手段と前記遊技媒体通路との電気的接点を形成する集電板であって、前記遊技媒体貯留部と前記遊技媒体通路とが導電性樹脂で一体形成によって形成されているにも拘わらずに、更に、前記遊技媒体通路からの静電気の逃げる経路を分散させるために、前記遊技媒体誘導樋と前記払出装置と前記下部払出樋と前記排出樋と、のそれぞれの、内壁ではなく外壁に設けられた複数の第２集電板と、
を備える、遊技機。
【発明の詳細な説明】
【技術分野】
【０００１】
本発明は帯電可能な遊技媒体（例えば、パチンコ球等）を用いて遊技を行う遊技機に関し、詳しくは、遊技媒体に帯電した静電気を除去するための技術に関する。
【背景技術】
【０００２】
例えば、パチンコ機のような遊技機では、遊技者の遊技結果等に応じて遊技媒体を貯留する遊技媒体貯留部から遊技媒体通路を介して受皿に遊技媒体を払出すようにしている。
かかる遊技機においては、遊技媒体が遊技媒体通路を移動する際等に、遊技媒体が壁面に衝突又は遊技媒体同士が衝突すること等により静電気が発生し、この静電気が遊技媒体に帯電する場合がある。
この遊技媒体に帯電した静電気は、遊技機全体を制御する制御回路装置の誤動作の原因となる場合があった。
このため、従来から遊技媒体に帯電した静電気を除去するための技術が開発されている。
この従来の技術では、遊技媒体貯留部及び／又は遊技媒体通路の所定部分を導電性樹脂で成形し、遊技媒体に帯電した電荷がこの導電性樹脂に流れるようにして遊技媒体に帯電した静電気を除去するようになっていた。
【発明の概要】
【発明が解決しようとする課題】
【０００３】
しかしながら、上述した従来の技術では導電性樹脂で成形された部分が遊技機表面に露出しているため、何らかの原因でこの部分に電圧が印可された場合（例えば、ホールの電源線が断線し、断線した電源線の先端がこの部分に接触するような場合等）には、この導電性樹脂を介して遊技機各部に電流が流れることとなる。
このような場合には、制御回路装置の誤動作のみならず種々の不具合を生じる可能性がある。
一方、導電性樹脂で成形された部分が遊技機表面に露出しないようにした場合には、導電性樹脂に流れた静電気が放電等により除去されないため、導電性樹脂が電気的に飽和すると、それ以上は静電気を除去できないこととなる。
【０００４】
本発明は上述した実情に鑑みなされたものであり、その目的は、導電性樹脂で成形した部分から遊技機各部に電流が流れることを防止でき、かつ、導電性樹脂に帯電した静電気を外部に除去することができる遊技機を提供する。
【課題を解決するための手段】
【０００５】
上記課題を解決するため態様１の遊技機は、帯電可能な遊技媒体を用いて遊技を行う遊技機であって、遊技媒体を貯留する遊技媒体貯留部と、該遊技媒体貯留部から払出される遊技媒体を受ける受皿と、前記遊技媒体貯留部と前記受皿とを連通する遊技媒体通路とを備え、前記遊技媒体貯留部及び／又は前記遊技媒体通路の所定の部分が導電性樹脂で成形されており、該導電性樹脂成形部の所定箇所の外壁面が非導電性とされている。
上記遊技機では、遊技媒体貯留部及び／又は遊技媒体通路において導電性樹脂で成形された導電性樹脂成形部は、所定箇所の外壁面が非導電性とされる。
したがって、非導電性とする箇所を外部から電圧が印可され得る位置に適宜設けることで、外部から導電性樹脂成形部に電流が流れることを防止することができる。
また、導電性樹脂成形部は、所定箇所の外壁面だけが非導電性となり、その他の部分の外壁は導電性となる。
したがって、この部分から放電現象により、又はこの部分をアースに接続すること等により、導電性樹脂に帯電した静電気を除去することができる。
ここで、上記「非導電性」とは、導電性が完全に無く絶縁されている性質のみを意味せず、その電気抵抗値が大きく外部から電圧を印可されても外部から流れ込む電流が問題のない範囲内に収まる場合をも含む意である。
【０００６】
また、態様１に記載の遊技機においては、前記導電性樹脂成形部の所定箇所の電気抵抗値が調整されることで、その外壁面を非導電性としても良い（態様２）。
このような構成によれば、導電性樹脂成形部の所定箇所のみ電気抵抗値を調整することで非導電性とするため、導電性樹脂成形部が一体で成形され遊技機への組付作業が容易となる。
ここで、上記「電気抵抗値を調整する」方法としては、例えば、炭素繊維をベース樹脂に混入して導電性樹脂としている場合には、混入する炭素繊維の量を少なくすることで調整が可能になる。
またこの場合、ベース樹脂を難燃性グレードに変更したり、ベース樹脂を、例えば、ポリカーボネイト（ＰＣ）、ポリ塩化ビニル、ポリアセタール（ＰＯＭ）、ポリブチレンテレフタレート（ＰＢＴ）等の比較的耐熱性の高い樹脂に変更すると過電流が流れることによる発熱対策にもなり好ましい。
【０００７】
また、態様１に記載の遊技機においては、前記導電性樹脂成形部の所定箇所の外壁面に非導電性部材が配設されることで、その外壁面が非導電性とされていても良い（態様３）。
このような構成によれば、導電性樹脂成形部を同一材料で一体成形できるため、導電性樹脂成形部の製作を容易に行うことができる。
ここで、上記「非導電性部材を配設」する方法としては、例えば、導電性樹脂成形部の外壁に非導電性の塗料を塗布することにより非導電性としても良いし、また、導電性樹脂成形部の外壁にビニールテープ等を貼り付けることにより非導電性としても良いし、また、あるいは導電性樹脂成形部の所定箇所を覆うように非導電性のカバーを設けるようにしても良い。
【０００８】
また、上記課題を解決するため本発明の他の態様に係る遊技機は、帯電可能な遊技媒体を用いて遊技を行う遊技機であって、遊技媒体を貯留する遊技媒体貯留部と、該遊技媒体貯留部から払出される遊技媒体を受ける受皿と、前記遊技媒体貯留部と前記受皿とを連通する遊技媒体通路とを備え、前記遊技媒体貯留部及び／又は前記遊技媒体通路の所定の部分において遊技媒体と接触する内層部が導電性樹脂で成形され、該内層部と電気的に接続された電気的接点が前記遊技媒体貯留部及び／又は前記遊技媒体通路の所定箇所の外壁に設けられている（態様４）。
このような構成では、遊技媒体貯留部及び／又は遊技媒体通路の所定部分において、遊技媒体と接触する内層部が導電性樹脂で成形される。
したがって、導電性樹脂で成形された部分は外表面に露出しないため、外部から電流が流れ込むことを防止することができる。
また、導電性樹脂で成形された内層部は、遊技媒体貯留部及び／又は遊技媒体通路の所定箇所の外壁に設けられた電気的接点と電気的に接続されているため、遊技媒体から導電性樹脂に流れた静電気は、外壁に設けられた電気的接点を介して外部に放電される。
【０００９】
また、態様４に記載の遊技機においては、前記導電性樹脂で成形された内層部の外側の一部が露出することにより、前記電気的接点が形成されていることが好ましい（態様５）。
このよな構成によれば、特別な配線等を施すことなく、導電性樹脂で成形した内層部の外側を露出することで、遊技媒体貯留部及び／又は遊技媒体通路の所定箇所外壁に電気的接点を形成することができる。
また、本発明の態様は、以下の態様であってもよい。
態様６
帯電可能な遊技媒体を用いて遊技を行う遊技機であって、
前記遊技機の制御を行う制御ボックス装置と、
遊技機の後方側であって前記制御ボックス装置よりも高い位置に配置され、島設備から供給される遊技媒体を一時的に貯留する遊技媒体貯留部と、
前記制御ボックス装置よりも低い位置に配置され、前記遊技媒体を受ける受皿と、
前記遊技機の後方側に配置され、前記遊技媒体貯留部から前記受皿に至る遊技媒体が通る経路を形成する遊技媒体通路と、
前記遊技機の前面側に設けられる表枠であって、前記表枠の裏面の略全域にわたる面積を有する補強金属板を有する表枠と、
遊技媒体発射用の発射ハンドル装置と、
前記遊技媒体貯留部と前記遊技媒体通路と前記補強金属板と前記発射ハンドル装置とを接地するためのアース部と、
前記遊技媒体貯留部を電気的に前記アース部に接続する第１接続手段と、
前記遊技媒体通路と前記補強金属板とを電気的に前記アース部に接続する第２接続手段と、
前記発射ハンドル装置を電気的に前記アース部に接続する第３接続手段と、
を備え、
前記遊技媒体貯留部と前記遊技媒体通路とは、導電性樹脂で一体形成によって形成され、
前記遊技媒体通路は、
前記遊技媒体貯留部からの前記遊技媒体を、前記制御ボックス装置の上方において横方向に導く遊技媒体誘導樋と、
前記遊技媒体誘導樋からの前記遊技媒体を、前記制御ボックス装置の側方において下に向かって導く上部払出樋と、
前記上部払出樋からの前記遊技媒体を払い出す払出装置と、
前記払出装置から払い出された前記遊技媒体を、前記制御ボックス装置の側方において下に向かって導く下部払出樋と、
前記下部払出樋から流下する前記遊技媒体を、前記制御ボックス装置の下方において横方向に移動させて、前記受皿に導く排出樋と、
を含み、
前記遊技機は、さらに、
導電性樹脂で一体形成によって形成された前記遊技媒体貯留部と前記遊技媒体通路との少なくとも一方に外部から電流が流れることを抑制するために、前記遊技媒体貯留部と前記遊技媒体通路との少なくとも一方における所定箇所の外壁面に配設された非導電性部材と、
前記第１と第２と第３の接続手段のいずれかから、前記アース部を介して、他の接続手段へ静電気が逆流することを防止するために、前記第１と第２と第３の接続手段に、それぞれに設けられた、第１と第２と第３の逆流防止素子と、
前記第１接続手段と前記遊技媒体貯留部との電気的接点を形成する集電板であって、前記島設備から直接に前記遊技媒体を受ける前記遊技媒体貯留部において、前記島設備から供給された前記遊技媒体に帯電した静電気を除去するために、前記遊技媒体貯留部の外壁ではなく内壁に設けられた第１集電板と、
前記第２接続手段と前記遊技媒体通路との電気的接点を形成する集電板であって、前記遊技媒体貯留部と前記遊技媒体通路とが導電性樹脂で一体形成によって形成されているにも拘わらずに、更に、前記遊技媒体通路からの静電気の逃げる経路を分散させるために、前記遊技媒体誘導樋と前記払出装置と前記下部払出樋と前記排出樋と、のそれぞれの、内壁ではなく外壁に設けられた複数の第２集電板と、
を備える、遊技機。
【発明を実施するための形態】
【００１０】
本発明をパチンコ機に具現化した一実施の形態を図１〜図９にしたがって説明する。
図１〜４に示すように、パチンコ機１は、外枠２、ベース枠１０及び表枠３０を主体として構成されている。
外枠２は、方形枠状に形成され、その前面の下部には、ベース枠１０の下端面を受ける下受板３が取り付けられている。
また、外枠２の前面の一側には、ベース枠用ヒンジ機構１００によってベース枠１０が開閉可能に組み付けられている。
このベース枠１０は、図１と図２に示すように、遊技盤１３の前面の略全体が露出する開口部を有する方形額縁状に形成されている。
ベース枠１０の裏面には、その開口部周縁に沿って支持枠体１１が設けられ、この支持枠体１１に遊技盤１３が着脱可能に嵌込まれている。
この遊技盤１３の裏面側には、その遊技盤１３に装着された各種の入賞装置、役物装置、表示装置等を制御する制御ボックス装置６が装着されている(図４参照)。
【００１１】
また、上記ベース枠１０の裏面側には、図１と図４に示すように、その支持枠体１１の片側の枠部１１ａにおいて、裏セット用ヒンジ機構１２０によって裏セット部材１６が開閉可能に組み付けられている。
この裏セット部材１６は、閉じた状態（図４に示す状態）においては、制御ボックス装置６を取り囲むように形成されている。
この裏セット部材１６の裏面側には、図４〜図６に示すように、その上部から下部に向けて球タンク７０、球誘導樋７１、上部払出樋７２、球払出装置７３、下部払出樋７４及び球排出樋７６が順次に連通して配設されている。
球タンク７０は、島設備から供給されるパチンコ球を一時的に貯留する機能を有し、球誘導樋７１及び上部払出樋７２は、球タンク７０に貯留するパチンコ球を球払出装置７３に誘導する機能を有する。
また、球払出装置７３は、パチンコ球が入賞装置に入賞した際には所定個数の賞球を払出し、一方、球抜き作業時には球タンク７０内に貯留されるパチンコ球が無くなるまで連続的にパチンコ球を排出する機能を有する。
また、下部払出樋７４は、賞球払出時には球払出装置７３から排出されたパチンコ球を球排出樋７６に導き、球抜き作業時には球払出装置７３から排出されたパチンコ球をパチンコ機１外に導く機能を有する。
そして、球排出樋７６は、下部払出樋７４から流下するパチンコ球を上皿９３又は下皿２１（図２と図３に図示）に導く機能を有する。
したがって、上述した球誘導樋７１、上部払出樋７２、球払出装置７３、下部払出樋７４及び球排出樋７６によって、球タンク７０と上皿９３又は下皿２１とを連通する球通路（請求項にいう遊技媒体通路に相当）が形成される（図６参照）。
なお、この球通路は、図４から明らかなように制御ボックス装置６を取囲むように設けられている。
【００１２】
ここで、本実施の形態においては、上述した裏セット部材１６、球タンク７０、球誘導樋７１、上部払出樋７２、球払出装置７３、下部払出樋７４及び球排出樋７６は導電性樹脂（炭素繊維入り樹脂）を一体成形することにより製作されており、その電気抵抗値は１０４〜１０６オームに調整されている。
各部分の電気抵抗値の具体的な決定方法は、例えば、所定の電圧（パルス電圧）を入力したときの各部材における電流波形のピークが所定の大きさとなるよう実験的に決定すればよく、また、あるいはパチンコ球を球タンク７０に供給しながら賞球払出動作を所定時間行い、そのときの制御ボックス装置６の信号伝送系のノイズを観測し、このノイズが問題のない程度に抑えられるように実験的に決定しても良い。
特に、制御ボックス装置６の信号伝送系のノイズを実際に観測しながら決定する方法は、実測したノイズ（誤動作の原因）に基づいて決定されるため、ノイズを確実に抑えることができる。
このため、本実施の形態では後者の方法で電気抵抗値を決定している。
【００１３】
また、球タンク７０、球誘導樋７１、球払出装置７３、下部払出樋７４及び球排出樋７６には、図５に示すように集電部材７０ａ、７１ａ、７３ａ、７４ａ、７６ａ、７６ｂ〔前記導電性樹脂よりも電気抵抗値の低い部材（典型的には、鉄板等の金属板）〕がそれぞれ配設される。
これらの集電部材７０ａ〜７６ｂは、図５及び図６から明らかなように、球タンク７０においては島設備からパチンコ球が補給される近辺の内壁（集電部材７０ａ）、球誘導樋７１においては球タンク７０の球排出口近辺の外壁（集電部材７１ａ）、球払出装置７３においてはパチンコ球がスプロケットや通路壁と衝突する近辺の外壁（集電部材７３ａ）、下部払出樋７４においては球払出装置７３から払出されたパチンコ球が通路壁に衝突して流れが変わる部位の外壁（集電部材７４ａ）、また、球排出樋７６においては上皿払出口９３ａ近辺の外壁（集電部材７６ａ）、下皿払出口２１ａ近辺の外壁（集電部材７６ｂ）に配設されている。
このように球タンク７０に配設される集電部材７０ａのみが球タンク７０の内壁に配設されるのは、島設備から球タンク７０に供給されるパチンコ球は高エネルギの静電気が帯電しており、この高エネルギの静電気を速やかに除去するためには集電部材７０ａを内壁に設けた方が好ましいためである。
【００１４】
また、球タンク７０に配設された集電部材７０ａは、図５に示すように導電線７０ｂにより電源ボックス装置２０１に直接接続され、また他の集電部材７１ａ、７３ａ、７４ａ、７６ａ、７６ｂはそれぞれ導電線７１ｂ、７３ｂ、７４ｂ、７６ｃによって裏セット部材１６の所定位置に固定されたヒンジ板１２２（図７、図８参照）に取付ネジ１２６により接続される。
なお、集電部材７０ａと電源ボックス装置２０１を接続する導電線７０ｂは、パチンコ機１の上方の外枠２側を通って配線される。
これは、導電線７０ｂと制御ボックス装置６との物理的な距離を離すことにより、導電線７０ｂに流れる電流によって制御ボックス装置６が誤動作することを防止するためである。
【００１５】
なお、上述した実施例においては、球タンク７０から排出されたパチンコ球から静電気（球タンク７０で除去できなかった静電気）を除去するため集電部材７１ａを球タンク７０の球排出口近辺の外壁に配したが、球タンク７０の静電気除去能力が高い場合等には、球誘導樋７１の払出装置７３側の通路（どの部位でも良い）に設けるようにしても良い。
このような構成によれば、集電部材７１ａとヒンジ板１２２の配線７１ｂが短くなり好ましく、また、球誘導樋７１内を流れる際にパチンコ球同士が衝突（離散・再接触）する際に発生する静電気を除去し易くなる。
【００１６】
さらに、上述した裏セット部材１６の両側面及び上面〔図５の斜線で示す部分Ａ（但し、図５では片側の面と上面しか図示せず）〕には、ビニールテープ（請求項にいう非導電性部材）が貼り付けられている。
このビニールテープが貼り付けられる位置は、パチンコ機１がホールに設置され、ホール内に配線された電源線が仮に断線した場合に、その断線した電源線の先端が触れる可能性のある位置とされている。
したがって、仮にホール内に配線された電源線が断線しその先端が裏セット部材１６（導電性樹脂製）に接触するような場合でも、このビニールテープにより裏セット部材１６側に流れる電流が防止されることとなる。
【００１７】
また、前記ベース枠１０の支持枠体１１には、図１に示すように、裏セット部材１６を閉じた状態に保持するための複数の締付具１９が組み付けられている。
そして、支持枠体１１に遊技盤１３が嵌込まれ、次に、裏セット部材１６が閉じられ、その裏セット部材１６が複数の締付具１９によって閉じた状態に保持されると、ベース枠１０の支持枠体１１に遊技盤１３が固定されるようになっている。
また、これとは逆に、複数の締付具１９を外して裏セット部材１６を開いた状態とすると、ベース枠１０の裏面側からその支持枠体１１に対し遊技盤１３が着脱可能となる。
【００１８】
なお、図１に示すように、前記ベース枠１０の裏面の自由端側には、上下二つのベース枠施錠用フック１７が上下方向にスライド可能に組み付けられている。
このベース枠施錠用フック１７は、外枠２に対しベース枠１０が閉じられたときに、外枠２に設けられた係合部(図示しない)に係合し、これにより外枠２に対しベース枠１０が閉じた状態に施錠されるようになっている。
また、外枠２に対するベース枠１０の解錠は、図３に示すように、ベース枠１０の前面の自由端側下部寄りに配設された鍵穴２２に鍵を挿入し、その鍵を一方向に回動操作することで、ベース枠施錠用フック１７が下方にスライドして外枠２の係合部から外れ解錠されるようになっている。
【００１９】
また、前記ベース枠１０の前面下部には、図２と図３に示すように、パチンコ球発射用の発射ハンドル装置２０や下皿２１等が組み付けられ、また、図２に示すように、ベース枠１０の前面の一側には表枠用ヒンジ機構１４０によって表枠３０が開閉可能に組み付けられている。
この表枠３０は、表枠本体３１、補強部材３１ａ、ガラス枠３３等を備えている。
この表枠本体３１は合成樹脂材料よりなり、図２、図３に示すように、その略中央部に遊技盤１３の遊技領域１４を透視可能な略円形の開口窓３２が形成されている。
また、図３に示すように、表枠本体３１の前面には、その開口窓３２の周囲において凹凸の装飾が施された合成樹脂製の装飾部材５０が組み付けられ、その装飾部材５０には、光が出射されるレンズを備えた飾り窓５１が適宜に形成される他、遊技盤１３の盤面に貼り付けられた証紙を透視可能な窓５２が形成されている。
また、表枠本体３１と装飾部材５０との間の空間部には装飾部材５０の各レンズを照明するランプを備えたランプ基板（図示省略）が配設されている。
このような表枠本体３１の裏面に装着される補強部材３１ａは、表枠本体３１の裏面の略全域にわたる面積を有する鉄板等の導電性金属板よりなり、静電気の放電部材及び表枠本体３１を補強する機能を有する。
【００２０】
また、表枠３０に設けられるガラス枠３３は、図２に示すように、表枠本体３１の開口窓３２を透視可能に塞ぐ前後二枚の方形のガラス板２９を保持するためのもので、このガラス枠３３は、補強部材３１ａの裏面側に設けられている。
このガラス枠３３は、開口窓３２の下方において左右方向に延びる下枠部３４と、その下枠部３４の左右両端から上方に延びる左右の両側枠部３７とを備えて略U字枠状に形成されている。
また、上述したガラス枠３３は、鉄板等の導電性金属板よりなり、補強部材３１ａと一体または補強部材３１ａと別個に形成されかつ溶接によって一体状に固着されて電気的に導通可能となっている。
したがって、このガラス枠３３も静電気の放電部材として機能するようになっている。
【００２１】
なお、表枠本体３１と補強部材３１ａとの間の自由端側には、図１に示すように、上下及び中間の計三つの施錠用フック８０が上下方向にスライド可能に組み付けられられている。
そして、ベース枠１０に対し表枠３０が閉じられたときには、その施錠用フック８０がベース枠１０に形成された係合穴８１に係合し、これによって、ベース枠１０に対し表枠３０が閉じた状態に施錠されるようになっている。
また、ベース枠１０に対する表枠３０の解錠は、ベース枠１０の鍵穴２２に対し鍵を挿入し、その鍵を、前記外枠２に対するベース枠１０の解錠方向とは逆の方向に回動操作することで、施錠用フック８０が下方にスライドして係合穴８１から外れる。
これによって、ベース枠１０に対し表枠３０が解錠されるようになっている。
また、図２と図３に示すように、ベース枠１０の前面の一側には、前記表枠３０の下方に隣接しかつ図示しないヒンジ機構によって下板９０が開閉可能に組み付けられている。
この下板９０の裏面の自由端側には、ベース枠１０に対し下板９０を閉じた状態に係脱可能に保持する閉止爪９２を備えた係合金具９１が配設され、下板９０の前面には上皿９３が配設されている。
【００２２】
上述した裏セット部材１６と表枠３０の補強部材３１ａとは、図７と図８に示すように、裏セット部材１６と、ベース枠用ヒンジ機構１００、裏セット用ヒンジ機構１２０及び表枠用ヒンジ機構１４０を介して電気的に接続され、裏セット部材１６に帯電した静電気が補強部材３１ａにおいて放電できるようになっている。
具体的に説明すると、図７に示すように、ベース枠用ヒンジ機構１００の上側のヒンジ構成部品は、外枠２の上隅部に固定された隅金具として機能するヒンジ板１０１と、ベース枠１０の上部隅部に固定されたヒンジ板１０２と、これら両ヒンジ板１０１，１０２を回動可能に連結しているヒンジ軸１０３とを備えている。
この両ヒンジ板１０１、１０２及びヒンジ軸１０３は、導電性金属材によりそれぞれ形成されている。
また、ベース枠１０に固定のヒンジ板１０２は、断面略Ｌ字状をなし、その一辺１０２ａがベース枠１０の裏面に対し導電性金属材よりなる固定ピン１０４によって固定されている。
【００２３】
また、図７と図８に示すように、裏セット用ヒンジ機構１２０の上側のヒンジ構成部品は、ベース枠１０の裏面に設けられた支持枠体１１の枠部１１ａ裏面に固定されたヒンジ板１２１と、裏セット部材１６の所定位置に固定されたヒンジ板１２２と、これら両ヒンジ板１２１、１２２を回動可能に連結しているヒンジ軸１２３とを備えている。
この両ヒンジ板１２１、１２２及びヒンジ軸１２３は、導電性金属材によりそれぞれ形成されている。
また、支持枠体１１側のヒンジ板１２１は、断面略Ｌ字状をなし、その一辺１２１ａが枠部１１ａの裏面に対し導電性金属材よりなる取付ネジ１２５によって固定されている。
また、裏セット部材１６側のヒンジ板１２２は、導電性金属材よりなる取付ねじ１２６によって裏セット部材１６の所定位置に固定されている。
なお、このヒンジ板１２２には、前述した集電部材７１ａ、７３ａ、７４ａ、７６ａ、７６ｂが導電線７１ｂ、７３ｂ、７４ｂ、７６ｃによって接続されている。
【００２４】
また、図７と図２に示すように、表枠用ヒンジ機構１４０の上側のヒンジ構成部品は、表枠３０の補強部材３１ａの一側寄り上部に折り曲げ加工によって一体に形成された筒状の軸受け筒部１４１と、その軸受け筒部１４１の軸受け孔に上下動可能に支持されたヒンジ軸１４２と、ベース枠１０の前面上部に固定されかつ前記ヒンジ軸１４２が回動可能に嵌挿されるヒンジ板１４３とを備えている。
上記軸受け筒部１４１、ヒンジ板１４３及びヒンジ軸１４２は、導電性金属材によりそれぞれ形成されている。
上述したベース枠１０のヒンジ板１４３は断面略Ｌ字状をなし、その一辺１４３ａがベース枠１０の前面に対し、同ベース枠１０の裏面に固定されたヒンジ板１０２（ベース枠用ヒンジ機構１００）を固定する固定ピン１０４によって固定されている。
また、このヒンジ板１４３の他辺１４３ｂには、ヒンジ軸１４２が回動並びに上下動可能に嵌挿されるヒンジ孔が形成されている。
したがって、表枠３０の補強部材３１ａは、表枠用ヒンジ機構１４０における軸受け筒部１４１、ヒンジ軸１４２、ヒンジ板１４３及び固定ピン１０４を介してベース枠用ヒンジ機構１００のヒンジ板１０２に電気的に接続されるようになっている。
【００２５】
また、上記ヒンジ板１０２は、図７に示すように、導電接続部材１６０（金属製で弾性を有するワイヤよりなる）によって裏セット用ヒンジ機構１２０のヒンジ板１２１と電気的に接続される。
すなわち、図７と図８に示すように、導電接続部材１６０の一端部(上端部)はベース枠１０に固定のヒンジ板１０２に向けて延出し、この導電接続部材１６０の端部にはベース枠１０に固定されたヒンジ板１０２に弾性的に圧接する接続部１６１が略駒形状に屈曲されて形成されている。
一方、導電接続部材１６０の他端部(下端部)は支持枠体１１の片側の枠部１１ａに固定されたヒンジ板１２１に向けて延出し、この導電接続部材１６０の他端部には略直角状に折り曲げられた接続部１６２が形成される。
この接続部１６２は、ヒンジ板１２１を固定するために枠部１１ａの内面に架設されたボス部１５２の中心孔に嵌挿されかつその接続部１６２の先端が取付ネジ１２５の先端部に弾性的に圧接するようになっている。
したがって、ベース枠１０に固定のヒンジ板１０２と、枠部１１ａに固定のヒンジ板１２１とが電気的に接続され、これにより裏セット部材１６と表枠３０の補強部材３１ａとが電気的に接続されるようになっている。
なお、導電接続部材１６０は、その略中央部が巻回されて枠部１１ａの内面の所定位置に突設されたボス部１５０に取付ネジ１５１によって装着されている。
【００２６】
上述したように表枠３０の補強部材３１ａと電気的に接続されるヒンジ板１２２を固定する取付ネジ１２６は、また、図４に示すように、ベース枠１０の裏面側の所定位置に配置された電源ボックス装置２０１（電源基板２００を収納）と接続線２３１により接続される。
この電源ボックス装置２０１に収納される電源基板２００は、図９に示すように、電源から供給される交流(例えば２４ボルト)を入力して直流(例えば、５ボルト、１２ボルト等)に変換して出力する安定化電源回路２０２が設けられている。
この安定化電源回路２０２の直流出力は、制御ボックス装置６内に収容された制御基板３００等に供給される。
また、電源基板２００には、パチンコ機１の各部で発生した静電気を逃がすためのアース回路２１０が設けられている。
さらに、電源基板２００には、そのアース回路２１０の入力側において、複数、例えば、第１〜第３のアース入力端子２１５，２１６，２１７がそれぞれ配設されている。
これら第１〜第３のアース入力端子２１５，２１６，２１７とアース回路２１０との間には、アース回路２１０側から第１〜第３のアース入力端子２１５，２１６，２１７に向けて電気が逆流するのを防止するための逆流防止素子２２０，２２１，２２２がそれぞれ個別に配設されている。
また、上記アース回路２１０は、安定化電源回路２０２の直流出力の電源線２０７と逆流防止素子２１４を介して接続されている。
この逆流防止素子２１４は、アース回路２１０から電源線２０７側に電流が流れることを防止するためのものである。
なお、本実施の形態においては、上述した第１のアース入力端子２１５には、裏セット部材１６、裏セット部材１６に配された集電部材７１ａ，７３ａ，７４ａ，７６ａ，７６ｂ、及び補強部材３１ａが接続されている。
また、第２のアース入力端子２１６には発射ハンドル装置２０が接続され、第３のアース入力端子２１７には球タンク７０に配設した集電部材７０ａが接続される。
【００２７】
また、電源基板２００には、アース回路２１０の出力側においては、１つのアース出力端子２０４が配設されている。
このアース出力端子２０４にはアース線２０３が接続されて接地されている。
なお、電源基板２００のアース回路２１０は、必要に応じて逆流防止素子２０８を介して交流入力の電源線２０８に接続されてもよい。
また、アース回路２１０においても、必要に応じて電源基板２００の基板アースに対し逆流防止素子２１２を介して接続されてもよい。
なお、電流の逆流を防止する逆流防止素子２０８，２１２，２２０，２２１，２２２としては、例えば、抵抗器、ダイオード、アレスタ等が用いられる。
【００２８】
上述のように構成されるパチンコ機１において、パチンコ球（遊技媒体）に帯電した静電気は、以下に説明するようにして除去される。
すなわち、電源基板２００のアース出力端子２０４がアース線２０３によって接地されている場合においては、裏セット部材１６の球誘導樋７１、上部払出樋７２、球払出装置７３、下部払出樋７４、球排出樋７６等の通路（制御ボックス装置６の周囲を取囲むように形成される通路）を流れるパチンコ球の摩擦等によって発生しパチンコ球に帯電した静電気（内因性の静電気）は、パチンコ球から導電性樹脂で成形された裏セット部材１６に流れる。
裏セット部材１６に流れた静電気は、裏セット部材１６から直接、又は裏セット部材１６に配設された集電部材７１ａ，７３ａ，７４ａ，７６ａ，７６ｂ及び導電線７１ｂ，７３ｂ，７４ｂ，７６ｃを介して取付ネジ１２６に流れ、取付ネジ１２６から接続線２３１を介して第１のアース入力端子２１５に流れる。
そして、第１のアース入力端子２１５に流れた静電気は、逆流防止素子２２０を経てアース回路２１０に流れ、アース出力端子２０４を経てアース線２０３に流れる。
ここで、球誘導樋７１、上部払出樋７２、球払出装置７３、下部払出樋７４、及び球排出樋７６は、電気抵抗値が所定の値となるように調整されているため、パチンコ球からこれらの部材に流れる電流のピーク値が低く抑えられる。
また、これらの部材の所定箇所（パチンコ球が衝突する壁面近傍：静電気が発生しやすい部位）には集電部材７１ｂ〜７６ｃが設けられ、これらの壁面から静電気を除去しやすくしている。
これらの理由のため、パチンコ球や裏セット部材１６に帯電した静電気によってスパイク状ノイズが発生することが防止され、これにより制御ボックス装置６等の電子部品等が誤動作される不具合を防止することができる。
【００２９】
また、発射ハンドル装置２０において発生した静電気（遊技者から流れる静電気：いわゆる外因性の静電気の一種）は、電気的接続手段２４０、第２のアース入力端子２１６、逆流防止素子２２１、アース回路２１０、及びアース出力端子２０４を経てアース線２０３に流れる。
また、球タンク７０において発生した静電気（島設備から供給されるパチンコ球に帯電した静電気：いわゆる外因性の静電気の一種）は、その一部分が集電部材７０ａに集電され、電気的接続手段２４１（導電線７０ｂ）、第３のアース入力端子２１７、逆流防止素子２２２、アース回路２１０、及びアース出力端子２０４を経てアース線２０３に流れる。
このため、発射ハンドル装置２０や球タンク７０において発生した静電気（外因性の静電気）は、上述した内因性の静電気とは別経路により速やかに除去され、ノイズの発生が防止される。
また、これらのノイズ除去経路は、内因性のノイズ除去経路と電気的に分離しているため、これらが相互に影響（アース回路２１０に流れた電流が逆流）することはない。
【００３０】
一方、電源基板２００のアース回路２１０のアース出力端子２０４がアース線２０３によって接地されていない場合には、パチンコ球に帯電した静電気は裏セット部材１６に流れ、裏セット用ヒンジ機構１２０のヒンジ板１２２、ヒンジ軸１２３及びヒンジ板１２１を経て導電接続部材１６０に流れる。
その後、静電気はベース枠用ヒンジ機構１００のヒンジ板１０２及び固定ピン１０４を経て表枠用ヒンジ機構１４０のヒンジ板１４３、ヒンジ軸１４２及び軸受け筒部１４１を経て表枠３０の補強部材３１ａに流れる。
なお、パチンコ球から球タンク７０に流れた静電気も、直接裏セット部材１６等から裏セット用ヒンジ機構１２０に流れ、同様にして表枠３０の補強部材３１ａに流れる。
ここで、補強部材３１ａは、鉄板等の導電性金属板よりなり、表枠３０の略全域にわたる大きい表面積を有している。
このため、補強部材３１ａに流れた静電気は補強部材３１ａの大きい表面積において良好に放電される。
このようにして裏セット部材１６に帯電した静電気を補強部材３１ａにおいて放電することができるため、電源基板２００のアース出力端子２０４がアース線２０３によって接地されていない場合においても、パチンコ球から良好に静電気を除去することができる。
この際においても、パチンコ球から裏セット部材１６に流れる電流のピーク値が低く抑えられるようその電気抵抗値が調整されているため、大きなスパイク状ノイズが発生することが防止される。
【００３１】
また、電源基板２００のアース回路２１０が逆流防止素子２０８を介して交流入力の電源線２０８に接続されている場合においては、裏セット部材１６に流れた静電気の一部が、裏セット用ヒンジ機構１２０、接続線２３１、第１のアース入力端子２１５、逆流防止素子２２０を経てアース回路２１０に流れ、その後、逆流防止素子２０８を介して交流入力の電源線２０６に流れる。
このため、裏セット部材１６に流れた静電気を速やかに除去することができ、制御ボックス装置６等の電子部品等が誤動作される不具合を一層確実に防止することができる。
【００３２】
また、アース回路２１０が電源基板２００の基板アースに対し逆流防止素子２１２を介して接続されている場合においては、裏セット部材１６に流れた静電気の一部が、裏セツト用ヒンジ機構１２０、接続線２３１、第１のアース入力端子２１５、逆流防止素子２２０を経てアース回路２１０に流れ、その後、逆流防止素子２１２を介して基板アースに流れる。
このため、裏セット部材１６に帯電した静電気を速やかに除去でき、これにより制御ボックス装置６等の電子部品等が誤動作される不具合をより一層確実に防止することができる。
なお、図９の二点鎖線に示すように、発射ハンドル装置２０を放電部材としての補強部材３１ａに電気的に接続することによって、アース出力端子２０４がアース線２０３によって接地されていない場合においても、発射ハンドル装置２０において発生した静電気が放電部材において放電される。
【００３３】
また、上述したことから明らかなように、本実施の形態に係るパチンコ機１においては、ホール内の電源線が断線した場合等において導電性樹脂製の裏セット部材１６に電流が流れることを防止するため裏セット部材１６の一部にビニールテープを貼り付けているが、裏セット部材１６に帯電した静電気は集電部材７０ａ、７１ａ等を介して速やかに裏セット部材１６から除去されるようになっている。
【００３４】
以上、本発明の好適な一実施の形態について説明したが、本発明は上述した実施の形態に限られることなく、当業者の知識に基づいて種々の変更、改良を施した形態で実施することができる。
【００３５】
例えば、上述した実施の形態では、導電性樹脂製の裏セット部材１６の所定箇所にビニールテープを貼り付けることで、裏セット部材１６の所定箇所外壁を非導電性としたが、このような形態に限られず、例えば、裏セット部材１６の所定箇所を非導電性の塗料を塗布することで非導電性としても良い。
このような形態であっても、簡易に導電性樹脂性の裏セット部材１６の外壁を非導電性とすることができる。
なお、裏セット部材１６に非導電性の塗料を塗るような場合には、図１０に示すように、裏セット部材１６の外表面全体に塗料を塗り、集電部材７１ａ、７３ａ、７６ａ、７６ｂを取付ける部分のみ塗料を塗らないような形態としても良い。
このような形態によれば、集電部材７１ａ等以外の部分は全て非導電性となるためより確実に外部から電流が流れ込むことを防止することができる。
【００３６】
また、例えば、裏セット部材１６全体を覆うような非導電性のカバーを別途設けることで、裏セット部材１６に外部から電流が流れ込むことを確実に防止することができる。
特に、パチンコ球を内部で循環する封入式のパチンコ機の場合には、ホールに設けた島設備とのパチンコ球の受け渡し等がないため、裏セット部材１６全体をカバーで覆ったとしても、構造が複雑にならず、かつ、メンテナンス性も悪化しないため、確実に電流が流れ込むことを防止できる点でこのような形態が好ましい。
【００３７】
また、上述した実施の形態は本発明をパチンコ機に適用した例であったが、本発明はこの他にも、例えば、アレンジボール機（一定数の鋼球を遊技盤上に射出して所定の当たり状態を成立させるもの）、スロットマシン、雀球遊技機、パチスロ機等の各種遊技機にも適用することができる。
【図面の簡単な説明】
【００３８】
【図１】本実施の形態に係るパチンコ機の外枠に対してベース枠が開かれた状態を示す斜視図。
【図２】同じく外枠に対しベース枠が開かれ、そのベース枠に対し表枠が開かれた状態を示す斜視図。
【図３】同じくパチンコ機の全体を示す正面図。
【図４】同じくパチンコ機の全体を示す背面図。
【図５】裏セット部材に配された集電部材の電気的な接続を説明するための斜視図。
【図６】パチンコ機の背面に設けられる球通路を説明するための図。
【図７】裏セット部材と表枠の補強部材との電気的接続構造を説明するための図。
【図８】裏セット部材と表枠の補強部材との電気的接続構造を説明するための図。
【図９】電源基板に設けられたアース回路の構成を説明するための図。
【図１０】裏セット部材に設けられた非導電性部の他の例を説明するための図。
【符号の説明】
【００３９】
１  ・・パチンコ機
２  ・・外枠
１０・・ベース枠
１１・・支持枠体
１３・・遊技盤
１６・・裏セット部材
３０・・表枠
３１ａ・補強部材
７０・・球タンク
７１・・球誘導樋
７２・・上部払出樋
７３・・球払出装置
７４・・下部払出樋
７６・・球排出樋
【図１】
0005024768.tif 000002
【図２】
0005024768.tif 000003
【図３】
0005024768.tif 000004
【図４】
0005024768.tif 000005
【図５】
0005024768.tif 000006
【図６】
0005024768.tif 000007
【図７】
0005024768.tif 000008
【図８】
0005024768.tif 000009
【図９】
0005024768.tif 000010
【図１０】
0005024768.tif 000011